(57)【特許請求の範囲】
【請求項１】
予め着磁された複数個のマグネットを互いに吸着させて第１および第２のマグネット列を構成し、前記第１および第２のマグネット列の端部のマグネットを一の押圧部材によって同時に前記第１および第２のマグネット列から離してヨークベースの所定位置に供給することを特徴とする光ピックアップ組立方法。
【請求項２】
予め着磁された複数個のマグネットを互いに吸着させて第１および第２のマグネット列を構成し、前記第１および第２のマグネット列を磁気吸引力により互いに接近する方向に移送し、前記各マグネット列の各内側端部のマグネットを押圧部材によって同時にそれぞれのマグネット列から離してヨークベースの所定位置に供給することを特徴とする光ピックアップ組立方法。
【請求項３】
予め着磁された複数個のマグネットを互いに吸着して整列させた第１および第２のマグネット列を案内する第１および第２の案内手段と、前記第１および第２の案内手段の一端部側に配置されて前記各マグネット列の磁力により前記各マグネット列を吸引する磁性体ブロックと、前記各案内手段による前記各マグネット列の案内方向に対して直交する方向に移動可能で、前記各マグネット列の端部のマグネットを同時にそれぞれのマグネット列から離してヨークベースに供給する一の押圧手段とを備えた光ピックアップ組立装置。
【請求項４】
前記一の押圧手段に前記各マグネット列の端部のマグネットが係合する溝が形成されていることを特徴とする請求項３記載の光ピックアップ組立装置。
【請求項５】
予め着磁された複数個のマグネットを互いに吸着して整列させた第１および第２のマグネット列を案内する第１および第２の案内手段と、前記第１および第２の案内手段の内側端部間に配置されて、前記各案内手段によるマグネット列の案内方向に対して直交する方向に移動可能で、前記各マグネット列の内側端部のマグネットをそれぞれのマグネット列から離してヨークベースの所定位置に供給する押圧手段とを備えた光ピックアップ組立装置。
【請求項６】
前記第１および第２の案内手段の内側端部間に配置された磁性体ブロックを備え、前記各マグネット列と前記磁性体ブロックとの間に生じる磁気吸引力により、前記各マグネット列を互いに接近する方向に移送することを特徴とする請求項５記載の光ピックアップ組立装置。
【発明の詳細な説明】
【０００１】
【発明の属する技術分野】
本発明は、コンパクトディスク（ＣＤ）などのディスク用デッキに使用する光ピックアップの組立方法およびその装置、特にマグネットをヨークベースに取り付けるための方法と装置に関する。
【０００２】
【従来の技術】
図８は従来のＣＤ用デッキに使用する光ピックアップを示している。図８において、１は磁性体からなるヨークベースであり、このヨークベース１の両端部の突片２には、それぞれマグネット３が固定されている。４はボビンであり、ワイヤ５によりヨークベース１に保持されており、このボビン４には、フォーカスサーボ用の駆動コイル６とトラッキングサーボ用の駆動コイル７が取り付けられている。８はボビン４に設けられた対物レンズである。
【０００３】
図８において、ワイヤ５を介して駆動コイル６に電流が供給されると、マグネット３の磁界と駆動コイル６に流れる電流により駆動力が生じ、ボビン４は上下方向に移動する。一方、ワイヤ５を介して駆動コイル７に電流が供給されると、マグネット３の磁界と駆動コイル７に流れる電流により駆動力が生じ、ボビン４は水平方向に移動する。また、対物レンズ８から出て、ディスクで反射したレーザ光は、対物レンズ８に戻り、光検出器で検出され、再生信号が取り出される。
【０００４】
【発明が解決しようとする課題】
上記のような構成を有する光ピックアップを組み立てる場合、ヨークベース１の突片２にマグネット３を取り付ける作業は、従来は手作業により、マグネット３を極性の向きを１つ１つ確認しながら接着剤により突片２に接着していた。このため、作業性が悪くコスト高になるという問題があった。
【０００５】
本発明は、このような従来の問題を解決するものであり、簡単な構成により、マグネットを容易にヨークベースに固定することのできる光ピックアップ組立方法およびその装置ならびに整列したマグネットの極性判定方法を提供することを目的とする。
【０００６】
【課題を解決するための手段】
本発明は、上記目的を達成するために、予め着磁された複数個のマグネットを互いに吸着させてマグネット列とし、このマグネット列の端部のマグネットを押圧手段によりマグネット列から離してヨークベースの所定位置に供給するものであり、マグネットを整列させるための機構を必要とせず、またマグネット自身の磁力を利用してマグネット列を移送するので、マグネット列を移送する機構を必要とせず、簡単な構成で光ピックアップのマグネット組み立てを容易に行うことができる。また、マグネットが列状に整列されているため、その端部の極性を判別することにより、整列したマグネットのすべての極性を一度に判別することができ、マグネットの極性を１つずつ確認する必要がない。
【０００７】
【発明の実施の形態】
本発明は、予め着磁された複数個のマグネットを互いに吸着させて第１および第２のマグネット列を構成し、前記第１および第２のマグネット列の端部のマグネットを、押圧部材によって前記第１および第２のマグネット列から離してヨークベースの所定位置に供給することを特徴とする光ピックアップ組立方法であり、マグネットの磁力を利用して複数のマグネットを整列させるための、マグネットの整列工程を必要としないという作用を有する。
【０００８】
本発明は、予め着磁された複数個のマグネットを互いに吸着させて第１および第２のマグネット列を構成し、前記第１および第２のマグネット列を磁気吸引力により互いに接近する方向に移送し、前記各マグネット列の各内側端部のマグネットを押圧部材によって同時にそれぞれのマグネット列から離してヨークベースの所定位置に供給することを特徴とする光ピックアップ組立方法であり、磁気吸引力によりマグネット列を移送するので、マグネット列の移送工程を必要としないという作用を有する。
【０００９】
本発明は、予め着磁された複数個のマグネットを互いに吸着して整列させた第１および第２のマグネット列を案内する第１および第２の案内手段と、前記第１および第２の案内手段の一端部側に配置されて前記各マグネット列の磁力により前記各マグネット列を吸引する磁性体ブロックと、前記各案内手段による各マグネット列の案内方向に対して直交する方向に移動可能で、前記各マグネット列の端部のマグネットを前記各マグネット列から離してヨークベースに供給する押圧手段とを備えた光ピックアップ組立装置であり、マグネット自身の磁力を利用してマグネットの整列、移送を行うため、複数のマグネットを整列させるための手段およびマグネットを移送するための手段を必要としないという作用を有する。
【００１０】
本発明は、一の押圧手段に前記各マグネット列の端部のマグネットが係合する溝が形成されていることを特徴とする段落０００９に記載の光ピックアップ組立装置であり、マグネット列の端部のマグネットが押圧手段の溝に係合するため、押圧手段を移動させるだけでマグネット列の端部のマグネットをマグネット列から容易に離すことができるという作用を有する。
【００１１】
本発明は、予め着磁された複数個のマグネットを互いに吸着して整列させた第１および第２のマグネット列を案内する第１および第２の案内手段と、前記第１および第２の案内手段の内側端部間に配置されて、前記各案内手段によるマグネット列の案内方向に対して直交する方向に移動可能で、前記各マグネット列の内側端部のマグネットをそれぞれのマグネット列から離してヨークベースの所定位置に供給する押圧手段とを備えた光ピックアップ組立装置であり、第１および第２のマグネット列の磁力を利用して互いに接近する方向に移送するため、マグネット列を移送させる移送手段を必要としないという作用を有する。
【００１２】
本発明は、第１および第２の案内手段の内側端部間に配置された磁性体ブロックを備え、前記各マグネット列と前記磁性体ブロックとの間に生じる磁気吸引力により、前記各マグネット列を互いに接近する方向に移送することを特徴とする段落００１１に記載の光ピックアップ組立装置であり、第１および第２のマグネット列の磁力に加え、第１および第２のマグネット列と磁性体ブロックとの間の吸引力を利用して互いに接近する方向に移送するため、マグネット列を移送させる移送手段を必要としないという作用を有する。
【００１３】
本発明は、予め着磁された複数個のマグネットの互いに吸着して整列させたマグネット列を案内する案内手段と、前記マグネット列の端部に対向して移動可能に配置された極性判定マグネットとを備え、前記マグネット列と前記極性判定マグネットとの間に働く磁気吸引力による前記極性判定マグネットの移動を検出することにより、前記案内手段に収容されたマグネット列の極性を判定することを特徴とする光ピックアップのマグネット極性判定方法であり、列状に整列されたマグネットの極性を一度に判別することができ、マグネットの極性を１つずつ確認する必要がないという作用を有する。
【００１４】
以下、本発明の実施の形態を図面を参照して説明する。
（実施の形態）
図１は本発明の実施の形態におけるマグネット組立装置の正面図、図２は同装置の側面図を示している。図１および図２において、１は磁性材からなるヨークベースであり、図１において左右方向のコンベア１５により移送されるパレット１４上に保持されている。２はヨークベース１の両側に立ち上がった突片であり、それぞれの内側にマグネット３が固定される。マグネット３は、複数個がそれぞれ互いの磁力により相互に吸着し整列してマグネット列を構成しており、このようなマグネット列が、それぞれ案内溝９に案内されて左右両側に対向している。１０は左右の案内溝９の間に配置された磁性体ブロックであり、整列された左右のマグネット列は、それぞれ磁性体ブロック１０の方向に自身の磁気吸引力および磁性体ブロック１０との間の磁気吸引力により吸引される。１１は駆動機構１６により上下方向に駆動される非磁性材からなる押圧ブロックであり、この押圧ブロック１１の下部両側には、平行な一対の押圧片１２が形成されている。１３は押圧片１２の両外側下部に形成された溝であり、左右のマグネット列の内側端部のマグネット３Ａ、３Ｂが係合可能である。
【００１５】
次に、上記のように構成されたマグネット組立装置の動作について、図３から図６を参照して説明する。図３に示すように、整列された左右のマグネット列は、案内溝９に案内されて、自身の磁気吸引力および磁性体ブロック１０との間の磁気吸引力により互いに接近する方向に吸引され、各マグネット列の内側端部のマグネット３Ａ、３Ｂが、押圧ブロック１１の溝１３に係合する。次に、図４に示すように、駆動機構により押圧ブロック１１が下方に移動すると、左右のマグネット列の端部マグネット３Ａ、３Ｂが、各マグネット列における互いの磁気吸着力に打ち勝って下方に押圧される。押圧ブロック１１がさらに下方に移動すると、図５に示すように、予め接着剤が塗布されたヨークベース１の突片２の上部内面に到達し、マグネット３Ａ、３Ｂは、自身の磁力により突片２に吸着し、接着剤により固定される。次に、押圧ブロック１１が駆動機構により上方に移動すると、図６に示すように、左右のマグネット列が磁性体ブロック１０に吸引されるため、それぞれの内側端部のマグネット３が、押圧ブロック１１の押圧片１２の溝１３に係合する。図６において、ヨークベース１へのマグネット３の供給が終了すると、このヨークベース１は、コンベアにより移送され、図３に示すように、押圧ブロック１１の下方には、次のヨークベース１が供給され、上記と同様の工程を経て、それぞれ内側端部のマグネット３Ａ、３Ｂがヨークベース１の突片２に接着固定される。
【００１６】
以上のように、本実施の形態によれば、マグネット３が自身の磁力を利用して複数のマグネットを整列させてマグネット列を構成しているため、特にマグネットを整列させるための機構を必要とせず、またマグネット３自身の磁力を利用してマグネット列を押圧ブロック１１の押圧片１２の溝１３まで移送できるので、マグネット列を移送する機構を必要としないという利点を有する。
【００１７】
図７は案内溝９に収容されたマグネット列の極性を判定する方法を示している。図７において、９は案内溝、９Ａは案内溝９に形成された仕切壁、１７は案内溝９の外側端部において摺動可能に保持された摺動部材であり、この摺動部材１７の端部に極性判定用のマグネット１８が固定されている。１９は摺動部材１７を仕切壁９Ａの方向に付勢して、常態においてマグネット１８を仕切壁９Ａに軽く接触させる圧縮コイルばねであり、２０は摺動部材１７の両側に配置された透過型の光センサである。
【００１８】
図７において、極性判定用のマグネット１８の極性が、仕切壁９Ａ側がＮ極、摺動部材１７側がＳ極とすると、マグネット列を仕切壁９Ａ側がＮ極となるように案内溝９に収容した場合、マグネット列とマグネット１８との間には反発力が生じ、マグネット１８は図７の右方向に押される。このため、摺動部材１７により透過型光センサ２０への光が遮断されてオフになる。一方、マグネット列を仕切壁９Ａ側がＳ極となるように案内溝９に収容した場合、マグネット列とマグネット１８との間には吸引力が生じ、マグネット１８は図７の左方向に押される。このため、摺動部材１７により透過型光センサ２０への光が遮断されず、透過型光センサ２０はオンとなる。このように、透過型光センサ２０のオン、オフにより、案内溝９に収容されたマグネット列の極性が判定でき、ヨークベース１に対し、マグネット３を正しい向きに取り付けることができる。
【００１９】
【発明の効果】
本発明は、上記実施の形態から明らかなように、予め着磁された複数個のマグネットを互いに吸着させてマグネット列とし、このマグネット列の端部のマグネットを押圧手段によりマグネット列から離してヨークベースの所定位置に供給するものであり、マグネットを整列させるための機構を必要とせず、またマグネット自身の磁力を利用してマグネット列を移送するので、マグネット列を移送する機構を必要とせず、簡単な構成で光ピックアップのマグネット組み立てを容易に行うことができる。また、マグネットが列状に整列されているため、その端部の極性を判別することにより、整列したマグネットのすべての極性を一度に判別することができ、マグネットの極性を１つずつ確認する必要がないという効果を有する。
【図面の簡単な説明】
【図１】本発明の実施の形態におけるマグネット組立装置の正面図
【図２】本発明の実施の形態におけるマグネット組立装置の側面図
【図３】本発明の実施の形態におけるマグネット組立工程の概略図
【図４】本発明の実施の形態におけるマグネット組立工程の概略図
【図５】本発明の実施の形態におけるマグネット組立工程の概略図
【図６】本発明の実施の形態におけるマグネット組立工程の概略図
【図７】本発明の実施の形態におけるマグネット極性判定方法の概略図
【図８】光ピックアップの構成例を示す斜視図
【符号の説明】
１  ヨークベース
２  突片
３  マグネット
９  案内溝
１０  磁性体ブロック
１１  押圧ブロック
１２  押圧片
１３  溝
１４  パレット
１５  コンベア
１６  駆動機構
１７  摺動部材
１８  極性判定用のマグネット
１９  圧縮コイルばね
２０  透過型光センサ
【図１】
0003957892.tif 000002
【図２】
0003957892.tif 000003
【図３】
0003957892.tif 000004
【図４】
0003957892.tif 000005
【図５】
0003957892.tif 000006
【図６】
0003957892.tif 000007
【図７】
0003957892.tif 000008
【図８】
0003957892.tif 000009